(57)【要約】【課題】コンピューター装置の内蔵デバイスベイに実装する様々なデバイスは、従来の搭載方法では専用のデバイス取付金具と組み合わせて、コンピューター装置のマザーボードと直接ケーブル接続することでコンピューター装置に搭載していた。そのため、同じコンピューター装置を複数持っていたとしても、1台の内蔵デバイスを使いまわすということが困難であり、その結果全ての装置に同じデバイスを用意することとなる。【解決手段】各デバイス毎のインターフェースを集約したコネクターを持ち、デバイスの大きさに合わせて可変するデバイス取付金具と組み合わせたデバイス実装機構を用いることで、バックプレーンボード上のコネクターへの挿抜による内蔵デバイスの容易な着脱を可能とすると同時に、デバイス実装機構の共通化も実現した。【選択図】図２
2012104000.tif 000002
【特許請求の範囲】
【請求項１】
各デバイス毎のインターフェースを集約したコネクターを持ち、バックプレーンボード上のコネクターへの挿抜により、内蔵デバイスを容易に着脱可能とするデバイス実装機構。
【発明の詳細な説明】
【技術分野】
【０００１】
本発明は、USBやSASインターフェースなどで接続されるデバイスを内蔵可能なコンピュータ装置において、必要に応じてデバイスを取り替えることを可能とするデバイス実装機構に関する。
【背景技術】
【０００２】
本技術分野の背景技術として、特開２００１−９２５６４号公報（特許文献１）がある。この公報には、「〜筐体の底面において開口している拡張ベイスロットを有する電子機器の前記拡張ベイスロットに搭載可能な〜」と記載されており、デバイスやバッテリーユニットなどを搭載するために、拡張ベイスロットに合わせてデバイスやバッテリー毎に専用のデバイス実装機構の開発が必要であった。
【先行技術文献】
【特許文献】
【０００３】
【特許文献１】特開２００１−９２５６４号公報
【発明の概要】
【発明が解決しようとする課題】
【０００４】
本発明は、コンピュータ装置の内蔵デバイスベイに実装する様々なデバイス用について、共通のデバイスレールやデバイスベイを使用することにより、デバイスを容易に着脱可能とすることを目的とする。
【課題を解決するための手段】
【０００５】
本発明は、デバイス搭載用としてUSBやSAS、SCSIインターフェースなど複数のインターフェースに対応するために共通化したバックプレーンボードを設け、併せてデバイス搭載用のキャニスターも共通化することにより、様々なデバイスを着脱可能とした。
【発明の効果】
【０００６】
コンピュータ装置が複数のシステムにおいて、通常はバックアップ用途等の内蔵デバイスを各装置に搭載する必要があるが、本発明により内蔵デバイスを必要に応じて着脱することでデバイスの流用を可能とする。
【図面の簡単な説明】
【０００７】
【図１】コンピューター装置のデバイスベイ。
【図２】キャニスターと組み合わせたデバイスの例。
【図３】キャニスターとコンピュータ装置のデバイスベイとの組み合わせの概要。
【図４】デバイス固定用の鍵の例。
【図５】電源信号有効化の概要。
【発明を実施するための形態】
【０００８】
コンピュータ装置内部の部品・ケーブル類に対しては可能な限り通常のコンピュータ関連で用いられる部品を流用し、デバイスベイ部分の必要最小限の改造により様々なデバイスに対応しながら、容易な着脱を可能とする。
【０００９】
図１は、本実施例のコンピューター装置の構成図の例であり、コンピューター装置１０に内蔵デバイス搭載用のデバイスベイ２０があり、内蔵デバイスベイ２０に搭載するためのキャニスター取り付け済み内蔵デバイス３０がある。キャニスター取り付け済み内蔵デバイス３０は、図２のようにキャニスター５０にレール６０、キャニスター部のバックプレーンボード１１０、レバー２７０を組み合わせており、それに内蔵デバイス４０を取り付けてコンピュータ装置１０の内蔵デバイスベイ２０に搭載する。キャニスター５０に内蔵デバイス４０を取り付ける際は、内蔵デバイス４０とキャニスター５０の隙間を埋める役割も持った上部デバイス取付金具１２０と左側デバイス取付金具２５０および右側デバイス取付金具２６０にて固定する。デバイス取付金具２組の金具で組み合わされ、上部デバイス取付金具１２０は上下方向、左側デバイス取付金具２５０と右側デバイス取付金具２６０は左右方向にスライドできるよう組み合わされ、搭載するデバイスの大きさに合わせてこれらをスライドさせ、開口部分を無くすことが可能となる。また、キャニスター部のバックプレーンボード１１０には電源ケーブル８０の他、SCSIケーブル７０やS/SATAケーブル９０、USBケーブル１００をもち、内蔵デバイス４０のインターフェースに従ってこれらのケーブルを接続する。
【００１０】
図３のように、デバイスベイ２０へのキャニスター取り付け済み内蔵デバイス３０の搭載は、内蔵デバイスベイ２０内に実装されたレール１８０上にキャニスター５０に実装されたレール６０を乗せた状態で挿入することにより、容易にキャニスター部のバックプレーンボード１１０上のコネクター１７０が内蔵デバイスベイ２０内のコネクター１９０に挿入される。コネクター１７０および１９０は既に実用されている基盤対基盤接続用の多数ピンのコネクターを使用し、信号線を集約する。同様に、電源についてもキャニスター部のバックプレーンボード１１０上の電源コネクター２８０が、内蔵デバイスベイ２０内のデバイス接続用電源コネクター２９０に挿入される。
【００１１】
内蔵デバイス取り付けの際は、図４のように鍵３００を設け、デバイス取り付け後、鍵を３６０の方向に回すことで鍵３００に取り付けられたデバイス固定用金具３２０がレバー１００に取り付けられているデバイス側固定用金具３１０の前方に移動することでデバイスを固定する。同時に図５のように、鍵３００に取り付けられた電源信号用金具３４０がデバイスベイ部のバックプレーンボード２００に取り付けられたデバイス用電源信号接続用コネクタ３３０に挿しこまれる。電源信号接続用コネクター３３０は、基盤接続用のカードエッジコネクタを用い、電源信号用金具３４０上の電源接続用接線３５０を挿しこむことで、電源信号接続用コネクター３３０各々のピンの対面に配線したデバイスベイ部の電源コネクター２１０側の接線３７０とデバイス接続用電源コネクター２９０側の接線３８０が接続されることで、マザーボードからの電源をデバイスベイ部の電源コネクター２１０に供給することが可能となる。内蔵デバイスを取り外す際もレバー２７０を持って引き出すだけで取り外しが可能であり、内蔵デバイスの容易な着脱を可能としている。
【００１２】
それぞれのバックプレーンボードに実装されたコネクターは、同じくバックプレーンボード背面に実装された、USBコネクター１４０および２２０、SCSIコネクター１５０および２３０、SAS/SATAコネクター１６０および２４０のように各種インターフェースコネクターの信号を集約しており、キャニスター部とデバイスベイ部の各種インターフェースが接続される。また、電源コネクター１３０および２１０はこれにより、内蔵デバイス４０のインターフェースに左右されず、キャニスターは共通化が可能となる。同時に内蔵デバイス４０に合わせた上部デバイス取付金具１２０と左側デバイス取付金具２５０および右側デバイス取付金具２６０を使用することにより、キャニスター５０自体の汎用性を保つことが可能となる。
【符号の説明】
【００１３】
１０…コンピュータ装置、２０…内蔵デバイスベイ、３０…キャニスター取り付け済み内蔵デバイス、４０…内蔵デバイス、５０…キャニスター、６０…レール、７０…SCSIケーブル、８０…電源ケーブル、９０…SAS/SATAコネクター、１００…USBケーブル、１１０…キャニスター部のバックプレーンボード、１２０…上部デバイス取り付け金具、１３０…キャニスター部の電源コネクター、１４０…キャニスター部のUSBコネクター、１５０…キャニスター部のSCSIコネクター、１６０…キャニスター部のSAS/SATAコネクター、１７０…デバイス部のコネクター、１８０…デバイスベイ部のレール、１９０…デバイスベイ部のコネクター、２００…デバイスベイ部のバックプレーンボード、２１０…デバイスベイ部の電源コネクター、２２０…デバイスベイ部のUSBコネクター、２３０…デバイスベイ部のSCSIコネクター、２４０…デバイスベイ部のSAS/SATAコネクター、２５０…左側デバイス取り付け金具、２６０…右側デバイス取り付け金具、２７０…レバー、２８０…デバイスベイ部バックプレーンボード接続用電源コネクター、２９０…デバイス接続用電源コネクター、３００…固定用鍵、３１０…デバイス側固定用金具、３２０…デバイス固定用金具、３３０…デバイス用電源信号接続用コネクタ、３４０…電源信号用金具、３５０…電源接続用接線、３６０…鍵の回す方向、３７０…デバイスベイ部の電源コネクター側接線、３８０…デバイス接続用電源コネクター側接線。
【図１】
2012104000.tif 000003
【図２】
2012104000.tif 000004
【図３】
2012104000.tif 000005
【図４】
2012104000.tif 000006
【図５】
2012104000.tif 000007